【手続補正書】
【提出日】平成22年4月15日(2010.4.15)
【手続補正１】
【補正対象書類名】特許請求の範囲
【補正対象項目名】全文
【補正方法】変更
【補正の内容】
【特許請求の範囲】
【請求項１】
コンピュータ（２０）によって実行されるコンピュータ・プログラムを記録して保存するコンピュータ読み取り可能記憶媒体（２８）であって、
前記コンピュータプログラムは、ＭＲ撮像のために前記コンピュータ（２０）に、
並列ＲＦ送信コイルアレイの任意の幾何学配置を取り得る並列ＲＦ送信コイルアレイ（７０）について、その並列ＲＦ送信コイルアレイの各々の送信コイル（７２）についてのＢ１磁場マップを収集する工程と、
目標の励起プロフィールを得る励起パルススキームを、所定の計算アルゴリズムを用い、前記並列ＲＦ送信コイルアレイ（７０）の複数個の送信コイル（７２）の少なくとも１つの実効Ｂ１磁場マップに基づいて、決定する工程であって、前記実効Ｂ１磁場マップの各々とは、１つの送信コイル（７２）と他の少なくとも１つの送信コイル（７２）との間に存在する誘導結合効果を反映するものであるところの、励起パルススキーム決定工程と、
前記並列ＲＦ送信コイルアレイ（７０）の前記複数個の送信コイル（７２）の夫々の送信コイル（７２）について、ＳＡＲ（比吸収率）低減したOLE_LINK1ＲＦパルスシーケンスOLE_LINK1を少なくとも１つ生成るし、このＳＡＲ低減したＲＦパルスシーケンスを前記決定した励起パルススキームに組み込む、ＲＦパルスシーケンス生成工程と、
を実行する命令組を含むことを特徴とするコンピュータ読み取り可能記憶媒体（２８）。
【請求項２】
前記命令組は、
前記コンピュータ（２０）に対して、
ＲＦパルスとＲＦパワー沈積の間の２次形式関係に基づいて、前記少なくとも１つのＳＡＲ低減ＲＦパルスシーケンスを生成させるものであり、
該少なくとも１つのＳＡＲ低減ＲＦパルスシーケンスは、前記並列ＲＦ送信コイルアレイ（７０）が生成するＲＦ励起プロフィールを前記目標励起プロフィールから大幅に逸脱させることなく、撮像ボリューム全体にわたってＲＦパワーのデポジションを最小化するものである、
ことを特徴とする請求項１に記載のコンピュータ読み取り可能記憶媒体（２８）。
【請求項３】
前記命令組は、
前記コンピュータ（２０）に対して、
所定の最適化アルゴリズムに基づき、且つ、前記送信コイル（７２）に関する少なくとも１つの実効Ｂ１磁場マップと、ＲＦパルスとＲＦパワーのデポジションの間に存する２次形式関係とを、入力として、使用することによって、
前記少なくとも１つのＳＡＲ低減ＲＦパルスシーケンスを生成させる、ものであることを特徴とする請求項１または２に記載のコンピュータ読み取り可能記憶媒体（２８）。
【請求項４】
前記命令組は、
前記コンピュータ（２０）に対して、
所定の最適化アルゴリズムを解くことと、
前記送信コイル（７２）に関する、少なくとも１つの実効Ｂ１磁場マップと、ＲＦパルスとＲＦパワーのデポジションの間の２次形式関係と、傾斜パルスシーケンスとを、入力として使用することとに基づいて、
前記少なくとも１つのＳＡＲ低減ＲＦパルスシーケンスを生成させることを特徴とする請求項１に記載のコンピュータ読み取り可能記憶媒体（２８）。
【請求項５】
前記ＭＲ撮像中の命令組は、
前記コンピュータ（２０）に対して、
最適化アルゴリズムを行列逆変換公式を用いて解くこと、並びに送信コイル（７２）に関する少なくとも１つの実効Ｂ１磁場マップ、ＲＦパルスとＲＦパワーのデポジションの間の２次形式関係、及び傾斜パルスシーケンスを入力として使用することに基づいて、前記少なくとも１つのＳＡＲ低減ＲＦパルスシーケンスを生成させていることを特徴とする請求項１に記載のコンピュータ読み取り可能記憶媒体（２８）。
【請求項６】
前記命令組は、
前記コンピュータ（２０）に対して、ＲＦパルスとＲＦパワーのデポジションの間の所定の関係に基づいて、前記少なくとも１つのＳＡＲ低減ＲＦパルスシーケンスを生成させるものであり、
前記少なくとも１つのＳＡＲ低減ＲＦパルスシーケンスは、前記並列ＲＦ送信コイルアレイ（７０）が生成するＲＦ励起プロフィールを前記目標励起プロフィールから大幅に逸脱させることなく、撮像ボリューム全体にわたってパワーのデポジションを最小化するものである、ことを特徴とする請求項１に記載のコンピュータ読み取り可能記憶媒体（２８）。
【請求項７】
前記命令組は、
前記コンピュータ（２０）に対して、
所定の最適化アルゴリズムを解くこと、
前記送信コイル（７２）に関する少なくとも１つの実効Ｂ１磁場マップと、ＲＦパルスとＲＦパワーのデポジションの間にある所定の関係を入力として使用することとに基づいて、
前記少なくとも１つのＳＡＲ低減ＲＦパルスシーケンスを生成させることを特徴とする請求項１乃至６のいずれかに記載のコンピュータ読み取り可能記憶媒体（２８）。
【請求項８】
前記命令組は、
前記コンピュータ（２０）に対して、
所定の最適化アルゴリズムを解くこと、
送信コイル（７２）に関する少なくとも１つの実効Ｂ１磁場マップと、ＲＦパルスとＲＦパワーのデポジションの間にある所定の関係と、前記傾斜パルス状シーケンスと、を入力として使用することと、に基づいて、
前記少なくとも１つのＳＡＲ低減ＲＦパルスシーケンスを生成させることを特徴とする請求項１乃至７のいずれかに記載のコンピュータ読み取り可能記憶媒体（２８）。
【請求項９】
前記命令組は、前記コンピュータ（２０）に対して、
撮像ボリューム全体にわたるＲＦパワーのデポジションの相対的低下を予測させることを特徴とする請求項１乃至８のいずれかに記載のコンピュータ読み取り可能記憶媒体（２８）。
【請求項１０】
偏向磁場を印加するためのマグネット（５４）、磁場傾斜を誘導するように該マグネット（５４）のボアの周りに位置決めされた複数の傾斜コイル（７２）、複数の送信コイル（７２）を有する並列ＲＦ送信コイルアレイ（７０）、並びにＲＦパルスを送信しＭＲ画像を収集するためのＲＦ送受信器システム（５８）及びＲＦスイッチ（６２）を備えたＭＲシステムであって、前記ＲＦスイッチ（６２）が、パルスモジュール（３８）によって制御される、ように構成されたＭＲシステムと、
前もってプログラム化されたコンピュータ（２０）、とを具備したＭＲ装置であって、
前記コンピュータ（２０）が、
前記並列ＲＦ送信コイルアレイ（７０）のうちの複数個の送信コイル（７２）の各々の送信コイル（７２）に関するＲＦパルス波形を、ＲＦパルス長が管理され、且つ、起こりうる励起プロフィールのサイドローブが低減されるように、設計し、
前記並列ＲＦ送信コイルアレイ（７０）の前記複数個の送信コイル（７２）に対する独立の制御を介し、てＭＲ撮像中におけるＳＡＲを調節し、所定のＲＦパルスシーケンス最適化アルゴリズムに基づいて、前記設計されたＲＦパルス波形と前記調整されたＳＡＲとを結合させる、
ことを実行するようにプログラムされていることを特徴とするＭＲ装置（１０）。
【手続補正２】
【補正対象書類名】明細書
【補正対象項目名】０００１
【補正方法】変更
【補正の内容】
【０００１】
本発明は、全般的にはＭＲ撮像に関し、またさらに詳細には、所望の励起プロフィールを実現するための送信コイルアレイによる並列励起に関する。本発明はさらに、対象に対するＲＦパワーのデポジション(deposition：預託若しくは沈積を低減させるための並列励起パルス設計に関する。
【手続補正３】
【補正対象書類名】明細書
【補正対象項目名】０００５
【補正方法】変更
【補正の内容】
【０００５】
選択励起は、ボリューム全体にわたり送信し比較的均一なＢ１磁場を発生させる単一の送信コイル（例えば、バードケージコイル）を用いて実現されるのが一般的である。こうした構成に適合した励起パルスを設計するために極めて高効率のパルスアルゴリズムが開発されている。こうしたパルス設計ツールによって得られる利点があるものの技術的な困難が残っている。励起パルス持続時間、励起プロフィール確度、及びＲＦパワー吸収（ＳＡＲ：比吸収率（ｓｐｅｃｉｆｉｃ ａｂｓｏｒｐｔｉｏｎ ｒａｔｅ）；身体内でのＲＦエネルギーの吸収割合の尺度）に関する問題は、多種多様な用途における際だった問題点のうちの幾つかを示している。１Ｄ励起と比較すると、２Ｄや３Ｄ励起による複数次元方向での柔軟なプロフィール制御ではパルス持続時間を抑制するために、パルス化作用の強化が不可欠であると共に、多くの場合に強力な傾斜が必要である。この制約によって、汎用の傾斜磁場を発生するスキャナに多次元励起を利用すること阻害される。高周波領域での波形挙動の増大や発生源−対象間相互作用に由来してＢ１磁場の対象依存性が大きいことも、励起プロフィール制御の困難さにつながることがある。高周波領域でのＲＦパワーのデポジションの割合が増大することが、その設計並びにＲＦ送信モジュール及び／または励起パルスの利用に対して大きな影響を有するさらに別の要因となる。
【特許文献１】米国特許第６９８９６７３号
【特許文献２】米国発行特許第６７５９８４７ 号
【特許文献３】米国発行特許第６８７９１５８ 号
【特許文献４】米国発行特許第６９８９６７３ 号  （対応日本公開特許２００５１５２６５５Ａ２）
【特許文献５】米国発行特許第７０５３６１８ 号  （対応日本公開特許２００５１５２６５７Ａ２）
【特許文献６】米国発行特許第７０７５３０１ 号  （対応日本公開特許２００５１５２６５７Ａ２）
【特許文献７】米国発行特許第７０７５３０２ 号  （対応日本公開特許２００５１５２６５７Ａ２）
【特許文献８】米国早期公開特許２００５０１３４２６７Ａ１   （対応日本公開特許２００５１５２６５５Ａ２）
【特許文献９】米国早期公開特許２００６０１３２１３２Ａ１   （対応日本公開特許２００６１７５２２６Ａ２）
【特許文献１０】米国早期公開特許20060132133A1\~ （対応日本公開特許2006175223A2）
【非特許文献１】IEC 60601-2-33, Second Edition May 2002, Medical Electrical Equipment, Part 2-33: Particular requirements for the safety of magnetic resonance equipment for medical diagnosis, pp. 1, 28 and 29.
【非特許文献２】Y. Zhu et al., “Parallel Excitation With an Array of Transmit Coils,” Magnetic Resonance in Medicine vol. 51, pp. 775-784, 2004.
【非特許文献３】Y. Zhu et al., “Parallel Excitation on an Eight Transmit-Channel MRI System,” Proc. Intl. Soc. Mag. Res. Med., vol. 13, 2005.
【非特許文献４】Y. Zhu, “RF Power Reduction with Parallel Excitation,” Proc. Intl. Soc. Mag. Res. Med., vol. 11, 2004.
【非特許文献５】K. P. Pruessmann et al., “SENSE: Sensitivity encoding for Fast MRI,” Magnetic Resonance in Medicine, vol. 42, pp. 952-962, 1999.
【手続補正４】
【補正対象書類名】明細書
【補正対象項目名】００１０
【補正方法】変更
【補正の内容】
【００１０】
本発明のまた別の実現形態は、ＭＲ撮像の方法を包含する。撮像ボリューム全体にわたって関心領域及び／または励起プロフィールが決定される。並列ＲＦ送信コイルアレイ向けの少なくとも１つの実効Ｂ１磁場マップに基づいて、ターゲット励起プロフィールのための励起パルススキームが決定される。各実効Ｂ１磁場マップは１つの送信コイルと少なくとも別の１つの送信コイルとの間に存在することがあり得る誘導性結合効果を反映している。並列ＲＦ送信コイルアレイの複数の送信コイルのＲＦパルスはＲＦパワーのデポジションが減少するように独立に制御されている。
【手続補正５】
【補正対象書類名】明細書
【補正対象項目名】００１７
【補正方法】変更
【補正の内容】
【００１７】
例示的な一方式は、複数の送信コイルによってＲＦパルス送信を高速化する方法及びシステムを目的とする。こうした送信コイルアレイを図２に表している。送信コイルアレイ・アセンブリ７０は、並列ＲＦ送信向けに設計された複数のＲＦコイルまたは素子７２と、複数のＲＦ増幅器７４と、を含む。好ましい一実施形態では、各送信コイル７２が専用の１つのＲＦ増幅器７４によって駆動を受ける。この際に各ＲＦ増幅器は、ＭＲシステムの内部で対象７８の励起ボリューム７６を規定及び／またはステアリングするようにそれぞれのＲＦコイル内に制御された電流が発生するように構成される。図２に示すように、送信コイル７２は実質的に直線状に配列されている。さらに、ＲＦパワーのデポジションをさらに低下させるようにＲＦ増幅器は複数のＲＦ送信コイルに対して制御された電流を提供する（これについてはさらに詳細に記載することにする）。
【手続補正６】
【補正対象書類名】明細書
【補正対象項目名】００１９
【補正方法】変更
【補正の内容】
【００１９】
上で指摘したように、例示的な一方式は、送信コイルによるＲＦ励起が並列に実行されるように送信コイルアレイを用いて動作可能な方法及びシステムを目的としている。この並列励起によれば、ＲＦパルスの高速化及びターゲット励起の位置特定を通じてスキャン時間の短縮が支援されるのみならず、対象に対するＲＦパワーのデポジションの低減が支援される。
【手続補正７】
【補正対象書類名】明細書
【補正対象項目名】００２９
【補正方法】変更
【補正の内容】
【００２９】
【数６】
2007289690.tif 000001
（例示の式５）
上式において、ヨは正定値行列であり、またベクトル
ｗｐ＝［ｗｐ（１）．．．ｗｐ（Ｎ）］
は第ｐ番目の間隔に関してＮ個のコイルの全ＲＦパルスサンプルを集合させたものである。２次形式関係及び／または所定の関係は一例では、送信コイルアレイが生成したＲＦ励起プロフィールをターゲット励起プロフィールから大幅に逸脱させることなく撮像ボリューム全体にわたるＲＦパワーのデポジションを低下させている少なくとも１つのＲＦパルスシーケンスの生成のための基準（ｂａｓｉｓ）の役割をする。
【手続補正８】
【補正対象書類名】明細書
【補正対象項目名】００４０
【補正方法】変更
【補正の内容】
【００４０】
【数１２】
2007289690.tif 000002
（例示の式９）
例示式９において、ＤＩＡＧは対角から外れた行列エントリーのすべてをゼロに設定する演算子である。高速化率Ｒの出現は、フリップ角を維持した状態での送信持続時間の短縮に関連する通常スケール変換を反映している。因子ｇｔは高速化に関する追加的な影響を取り込んでいる。ｇｔ因子は一例ではターゲットプロフィールに対して依存性を有するが、一般に考えられている例示的な結論は、分子の逆行列の最大固有値が常に分母の逆行列のものと比べて大きいか等しいということであり、このことは最悪のケースではある種のＳＡＲペナルティがあり、かつ別のケースではペナルティの可能性があることが示唆される。例示式９は一例では、撮像ボリューム全体にわたるＲＦパワーのデポジションの相対的低下を定量化する役割をする。
【手続補正９】
【補正対象書類名】明細書
【補正対象項目名】００４２
【補正方法】変更
【補正の内容】
【００４２】
図５は、並列送信に付随するＲＦパワーのデポジションの例示的特性の図である。図５は、図４に示したアレイを用いたＲ＝４及びＲ＝６のそれぞれにおけるｇｔマップ５０２及び５０４を表している。図５にはさらに、例示的な第２の８素子送信アレイを用いたＲ＝４及びＲ＝６のそれぞれにおけるｇｔマップ５０６及び５０８を表している。例示的なスケールバー５１０（例えば、カラースケールバーまたはグレイスケールバー）をレファレンスとすることがある。第１のアレイに関するＲ＝１、４及び６における正規化・SUB>ｍｉｎ／Ｒはそれぞれ、１、０．８５及び１．０１であった。第２のアレイに関するＲ＝１、４、及び６における対応する・SUB>ｍｉｎ／Ｒ値はそれぞれ、０．９７、０．９１及び１．２０であった。・SUB>ｍｉｎ／Ｒに関して、例示的な第１のアレイは高速化式の場合における成績がＲ＝１では若干下回ったのを除けば例示的な第２のアレイより優っていた。この２つの例示的アレイはＲ＝１よりもＲ＝４においてより良好な成績を示した。
【手続補正１０】
【補正対象書類名】明細書
【補正対象項目名】００４５
【補正方法】変更
【補正の内容】
【００４５】
まとめると、送信素子を駆動するＲＦパルスは最適化アルゴリズムを用いて計算することが可能であり、ｋ空間サンプリング密度低減の手段によって多次元励起を高速化する能力はエイリアシングローブの抑制にかかっていると共に適当に設計された駆動ＲＦパルス（空間周波数領域重み）によって実現でき、また駆動ＲＦパルス波形の２次関数を最小化することによってＳＡＲ管理を実現することが可能であり、これによって生じるＲＦパワーのデポジションを最小にした電場Ｅを誘導しながら所望の励起プロフィール及び／または高速化を実現するようにＲＦパルスを協調させる方法が追求される。
【手続補正１１】
【補正対象書類名】明細書
【補正対象項目名】００４７
【補正方法】変更
【補正の内容】
【００４７】
高磁場イメージングでは、一例では励起プロフィールの管理及びＲＦパワーのデポジションの調節の両方の目的で、送信システム並びに駆動方式及び／または構成を使用することができる。励起パルス及び送信コイルの扱いの一体化を実現することによって、例示的な一方式は励起プロフィール制御を容易にしている。分散式の並列システム、励起の高速化、及びＳＡＲの管理を用いた送信によってさらに、大きい磁場強度におけるパワーのデポジションに対する解決法が提供される。
【手続補正１２】
【補正対象書類名】明細書
【補正対象項目名】００４８
【補正方法】変更
【補正の内容】
【００４８】
したがって一実施形態では本発明は、コンピュータ読み取り可能記憶媒体上に保存されており、かつコンピュータによって実行させたときに該コンピュータに対して、送信コイルアレイの各送信コイルに関するＢ１磁場マップを収集する工程と、所望の励起プロフィールを実現するためにこのＢ１磁場マップから励起パルススキームを決定する工程と、を実行させる命令を有するコンピュータ・プログラムの形で具現化される。このコンピュータに対してはさらに、撮像中のＲＦパワーのデポジションを低下させるようにそれぞれの各送信コイルに合わせて調整したＲＦパルスシーケンスを生成させている。
【手続補正１３】
【補正対象書類名】明細書
【補正対象項目名】００４９
【補正方法】変更
【補正の内容】
【００４９】
別の態様では、本発明はＭＲシステムを備えたＭＲ装置を含む。このＭＲシステムは、偏向磁場を印加するためのマグネットと、磁場傾斜を印加するようにマグネットのボアの周りに位置決めされた複数の傾斜コイルと、ＲＦコイル・アセンブリにＲＦ信号を送信しＭＲ画像を収集するようにパルスモジュールによって制御を受けるＲＦ送受信器システム及びＲＦスイッチと、を有する。複数の送信コイルを有する送信コイルアレイも開示している。本装置はさらに、複数の送信コイルに対する独立の制御を介してＭＲ撮像中の対象へのＲＦパワーのデポジション（ＳＡＲ）を調節するようにプログラムされたコンピュータを含む。
【手続補正１４】
【補正対象書類名】明細書
【補正対象項目名】００５０
【補正方法】変更
【補正の内容】
【００５０】
本発明の別の態様では、ＭＲ撮像の方法は、対象内部で関心領域を決定する工程と、対象に対するＲＦパワーのデポジションが低下するように送信コイルアレイの複数の独立の送信コイルによってＲＦ励起を制御する工程と、を含む。
【手続補正１５】
【補正対象書類名】明細書
【補正対象項目名】００５１
【補正方法】変更
【補正の内容】
【００５１】
対応するＲＦパルス合成器及び増幅器を伴った複数の送信コイルからなるシステムを開示する。さらに、撮像ボリューム全体にわたるＲＦパワーのデポジションを動的に制御するために各送信コイルに特異的なＲＦパルスを設計する方法も開示しており、この方法によれば、送信コイルによる並列励起による対象に対するＲＦパワーのデポジションの管理を可能にさせる一方で所望の励起プロフィールの忠実な生成が容易になる。本発明はさらに、スキャン時間の短縮を支援すると共に、任意のコイルアレイ幾何学構成に適用可能である。
【手続補正１６】
【補正対象書類名】明細書
【補正対象項目名】００５３
【補正方法】変更
【補正の内容】
【００５３】
ＭＲ撮像中の命令組は一例では、コンピュータ２０に対してＲＦパルスとＲＦパワーのデポジションの間の２次形式関係に基づいて少なくとも１つのＳＡＲ低減ＲＦパルスシーケンスを生成させている。この少なくとも１つのＳＡＲ低減ＲＦパルスシーケンスは、並列ＲＦ送信コイルアレイ７０が生成させるＲＦ励起プロフィールをターゲット励起プロフィールから大幅に逸脱させることなく、撮像ボリューム全体にわたってＲＦパワーのデポジションを最小化している。
【手続補正１７】
【補正対象書類名】明細書
【補正対象項目名】００５４
【補正方法】変更
【補正の内容】
【００５４】
ＭＲ撮像中の命令組は一例では、コンピュータ２０に対して、最適化アルゴリズムに基づくと共に、送信コイル７２に関する少なくとも１つの実効Ｂ１磁場マップ及びＲＦパルスとＲＦパワーのデポジションの間の２次形式関係を入力として使用することによって少なくとも１つのＳＡＲ低減ＲＦパルスシーケンスを生成させている。
【手続補正１８】
【補正対象書類名】明細書
【補正対象項目名】００５５
【補正方法】変更
【補正の内容】
【００５５】
ＭＲ撮像中の命令組は一例では、コンピュータ２０に対して、最適化アルゴリズムを解くこと、並びに送信コイル７２に関する少なくとも１つの実効Ｂ１磁場マップ、ＲＦパルスとＲＦパワーのデポジションの間の２次形式関係、及び傾斜パルスシーケンスを入力として用いることに基づいて、少なくとも１つのＳＡＲ低減ＲＦパルスシーケンスを生成させている。
【手続補正１９】
【補正対象書類名】明細書
【補正対象項目名】００５６
【補正方法】変更
【補正の内容】
【００５６】
ＭＲ撮像中の命令組は一例では、コンピュータ２０に対して、最適化アルゴリズムを行列逆変換公式を用いて解くこと、並びに送信コイル７２に関する少なくとも１つの実効Ｂ１磁場マップ、ＲＦパルスとＲＦパワーのデポジションの間の２次形式関係、及び傾斜パルスシーケンスを入力として用いることに基づいて、少なくとも１つのＳＡＲ低減ＲＦパルスシーケンスを生成させている。
【手続補正２０】
【補正対象書類名】明細書
【補正対象項目名】００５７
【補正方法】変更
【補正の内容】
【００５７】
ＭＲ撮像中の命令組は一例ではコンピュータ２０に対して、ＲＦパルスとＲＦパワーのデポジションの間の所定の関係に基づいて少なくとも１つのＳＡＲ低減ＲＦパルスシーケンスを生成させている。この少なくとも１つのＳＡＲ低減ＲＦパルスシーケンスは、並列ＲＦ送信コイルアレイ７０が生成させるＲＦ励起プロフィールをターゲット励起プロフィールから大幅に逸脱させることなく、撮像ボリューム全体にわたってパワーのデポジションを最小化している。
【手続補正２１】
【補正対象書類名】明細書
【補正対象項目名】００５８
【補正方法】変更
【補正の内容】
【００５８】
ＭＲ撮像中の命令組は一例では、コンピュータ２０に対して、最適化アルゴリズムを解くこと、並びに送信コイル７２に関する少なくとも１つの実効Ｂ１磁場マップ、及びＲＦパルスとＲＦパワーのデポジションの間の所定の関係を入力として用いることに基づいて、少なくとも１つのＳＡＲ低減ＲＦパルスシーケンスを生成させている。
【手続補正２２】
【補正対象書類名】明細書
【補正対象項目名】００５９
【補正方法】変更
【補正の内容】
【００５９】
ＭＲ撮像中の命令組は一例では、コンピュータ２０に対して、最適化アルゴリズムを解くこと、並びに送信コイル７２に関する少なくとも１つの実効Ｂ１磁場マップ、ＲＦパルスとＲＦパワーのデポジションの間の所定の関係、及び傾斜パルスシーケンスを入力として用いることに基づいて、少なくとも１つのＳＡＲ低減ＲＦパルスシーケンスを生成させている。
【手続補正２３】
【補正対象書類名】明細書
【補正対象項目名】００６０
【補正方法】変更
【補正の内容】
【００６０】
ＭＲ撮像中の命令組は一例では、コンピュータ２０に対して、撮像ボリューム全体にわたるＲＦパワーのデポジションの相対的低下を予測させている。